(57)【要約】【課題】ディスク状記録媒体の中心孔を挟んで互いに対向する一方の外縁部から他方の外縁部に亘る領域を露出可能としつつ、カートリッジ本体に加わる力に起因するディスク状記録媒体の破損を回避し得るディスクカートリッジを提供する。【解決手段】互いに嵌合可能に形成された下シェルおよび上シェル４を有するカートリッジ本体２内にディスク状記録媒体が収容され、下シェルには、カートリッジ本体２内に収容されたディスク状記録媒体の中心孔を挟んで互いに対向する一方の外縁部から他方の外縁部に亘る領域を露出可能なディスクアクセス用の開口部３ａが形成され、上シェル４には、上シェル４に嵌合させた状態の下シェルにおける開口部３ａを横切るようにして上シェル４とは別体に形成した補強部材７がその内面に固定されている。【選択図】図５
2005085362.tif 000002
【特許請求の範囲】
【請求項１】
互いに嵌合可能に形成された下シェルおよび上シェルを有するカートリッジ本体内にディスク状記録媒体が収容され、
前記下シェルには、当該カートリッジ本体内に収容された前記ディスク状記録媒体の中心孔を挟んで互いに対向する一方の外縁部から他方の外縁部に亘る領域を露出可能なディスクアクセス用開口部が形成され、
前記上シェルには、当該上シェルに嵌合させた状態の前記下シェルにおける前記ディスクアクセス用開口部を横切るようにして当該上シェルとは別体に形成した補強部材がその内面に固定されているディスクカートリッジ。
【請求項２】
前記補強部材は、その内径が前記ディスク状記録媒体の直径よりも大径のリング状に形成されている請求項１記載のディスクカートリッジ。
【請求項３】
前記補強部材は、繊維強化樹脂および金属のいずれかで形成されている請求項１または２記載のディスクカートリッジ。
【発明の詳細な説明】
【技術分野】
【０００１】
本発明は、下シェルおよび上シェルを備えて構成されたカートリッジ本体内にディスク状記録媒体が収容されたディスクカートリッジに関するものである。
【背景技術】
【０００２】
この種のディスクカートリッジとして、カートリッジ筐体１２内（ディスク収納室１６）に光ディスク１１を収容したディスク記録媒体装置１０が特開２００３−１１５１８１号公報に開示されている。このディスク記録媒体装置１０は、同公報の図１に示すように、上シェル１３、中シェル１４および下シェル１５を有するカートリッジ筐体１２と、ディスク収納室１６に収容される光ディスク１１と、中シェル１４および下シェル１５の間に配設されたシャッタ部材１８ａ，１８ｂとを備えている。この場合、中シェル１４は、光ディスク１１を載置するためのディスクトレイとして機能すると共に、上シェル１３および下シェル１５の間に挟み込まれるようにして光ディスク１１と共にディスク収納室１６に収容される。この場合、中シェル１４は、記録再生装置に対するディスク記録媒体装置１０の装填時および排出時において記録再生装置によって上シェル１３および下シェル１５に対して回転させられることにより、下シェル１５における開口部２５の一部を開閉する。また、シャッタ部材１８ａ，１８ｂは、中シェル１４によって軸支されると共に、中シェル１４の回転に伴って中シェル１４に対して回転させられて中シェル１４と相俟って下シェル１５の開口部２５を開閉する。
【０００３】
一方、上シェル１３は、全体として浅皿状に形成されると共に、下シェル１５を嵌合可能に（取り付け可能に）構成されている。また、下シェル１５は、カートリッジ筐体１２内の光ディスク１１に対するディスクアクセスを可能とする開口部２５が形成されて上シェル１３に嵌合可能に構成されている。この場合、開口部２５は、テーブル用開口部２５ａおよびヘッド用開口部２５ｂ，２５ｂがカートリッジ筐体１２の前後方向に連続して形成されている。これにより、カートリッジ筐体１２に収容した光ディスク１１のセンタ穴１１ａを挟んで互いに対向する一方の外縁部から他方の外縁部に亘る長方形状の領域を露出することが可能となり、テーブル用開口部２５ａを介して光ディスク１１をクランプして回転させつつ、ヘッド用開口部２５ｂ，２５ｂを介して同時に２つの光学ヘッドを用いて記録データを記録再生することが可能となっている。
【特許文献１】特開２００３−１１５１８１号公報（第６−１４頁、図１）
【発明の開示】
【発明が解決しようとする課題】
【０００４】
ところが、従来のディスク記録媒体装置１０には、以下の問題点がある。すなわち、このディスク記録媒体装置１０では、カートリッジ筐体１２内の光ディスク１１に対して２つの光学ヘッドを同時に用いて記録データを記録再生可能とするために、センタ穴１１ａを挟んで互いに対向する一方の外縁部から他方の外縁部に亘る長方形状の領域を露出可能な開口部２５が下シェル１５に形成されている。この場合、この種のディスク記録媒体装置１０（ディスクカートリッジ）としては、例えば、鞄などに収容して携帯する際に加わる外力や記録再生装置に装填する際に加わる力などに起因してカートリッジ筐体１２が変形してカートリッジ筐体１２または光ディスク１１の破損を招く事態や、記録再生装置内でカートリッジ筐体１２が変形して（歪んで）記録再生不良が生じる事態を回避するために、カートリッジ筐体１２がある程度の剛性を有している必要がある。一方、中シェル１４およびシャッタ部材１８ａ，１８ｂが上シェル１３および下シェル１５のいずれにも固定されていないため、中シェル１４およびシャッタ部材１８ａ，１８ｂによってカートリッジ筐体１２の剛性を高めることが困難となっている。したがって、その厚み方向で開口部２５と重なる部位においては、カートリッジ筐体１２の剛性に寄与する部材が上シェル１３しか存在しないため、従来のディスク記録媒体装置１０には、カートリッジ筐体１２を折り曲げようとする力に対して非常に弱い結果、カートリッジ筐体１２自体や光ディスク１１の破損、および記録再生不良を招くおそれがあるという問題点が存在する。
【０００５】
この場合、上シェル１３を例えばガラス繊維入り樹脂等で成形して上シェル１３単体の剛性を高めることにより、カートリッジ筐体１２全体としての剛性を高める構成を採用することも考えられる。しかし、この構成を採用した場合、ガラス繊維入り樹脂等が透過性を有していないため、上シェル１３を透してカートリッジ筐体１２内の光ディスク１１を視認することができなくなる。このため、カートリッジ筐体１２の美観が損ねられると共に、カートリッジ筐体１２に対して採用可能なデザインが極く狭い範囲内（カートリッジ筐体１２内の光ディスク１１を視認できないデザイン）に限られてしまう。また、上シェル１３を十分に厚くして上シェル１３単体の剛性を高めることにより、カートリッジ筐体１２全体としての剛性を高める構成を採用することも考えられる。ところが、この構成を採用した場合、上シェル１３を厚くした分だけカートリッジ筐体１２が全体として厚くなるため、ディスク記録媒体装置１０に対して規定されているサイズの規格を満たすのが困難となるおそれがある。
【０００６】
本発明は、かかる問題点に鑑みてなされたものであり、ディスク状記録媒体の中心孔を挟んで互いに対向する一方の外縁部から他方の外縁部に亘る領域を露出可能としつつ、カートリッジ本体に加わる力に起因するカートリッジ本体およびディスク状記録媒体の破損や記録再生不良の発生を回避し得るディスクカートリッジを提供することを主目的とする。
【課題を解決するための手段】
【０００７】
上記目的を達成すべく本発明に係るディスクカートリッジは、互いに嵌合可能に形成された下シェルおよび上シェルを有するカートリッジ本体内にディスク状記録媒体が収容され、前記下シェルには、当該カートリッジ本体内に収容された前記ディスク状記録媒体の中心孔を挟んで互いに対向する一方の外縁部から他方の外縁部に亘る領域を露出可能なディスクアクセス用開口部が形成され、前記上シェルには、当該上シェルに嵌合させた状態の前記下シェルにおける前記ディスクアクセス用開口部を横切るようにして当該上シェルとは別体に形成した補強部材がその内面に固定されている。この場合、上シェルに対する補強部材の固定方法としては、接着剤を用いる方法、上シェルに形成した溶着用リブを超音波溶着機で溶融して補強部材を固定する方法、および上シェルに形成した係止用爪によって補強部材を係止して固定する方法などの各種の固定方法を採用することができる。
【０００８】
この場合、その内径が前記ディスク状記録媒体の直径よりも大径のリング状となるように前記補強部材を形成するのが好ましい。
【０００９】
また、繊維強化樹脂および金属のいずれかで前記補強部材を形成するのが好ましい。
【発明の効果】
【００１０】
本発明に係るディスクカートリッジによれば、上シェルに嵌合させた状態の下シェルにおけるディスクアクセス用開口部を横切るようにして上シェルとは別体に形成した補強部材を上シェルの内面に固定したことにより、２つの光学ヘッドを同時に用いてディスク状記録媒体に対する記録再生を実行可能としつつ、外力が加わった際における（折り曲げなどに対して）カートリッジ本体自体およびディスク状記録媒体の破損や記録再生不良の発生を十分に回避し得る程度の高い剛性を有するカートリッジ本体を備えたディスクカートリッジを提供することができる。この場合、上シェルとは別体に形成した補強部材を上シェルの内面に固定する構成を採用したことにより、例えば、透過性を有する樹脂材料で上シェルを形成すると共に、折り曲げなどに強い高い剛性の部材で補強部材を形成して上シェルに固定することができるため、上シェルを透してのディスク状記録媒体に対する十分な視認性を確保して各種のデザインを採用可能としつつ、カートリッジ本体の剛性を十分に高めることができる。
【００１１】
また、本発明に係るディスクカートリッジによれば、その内径がディスク状記録媒体の直径よりも大径のリング状に形成した補強部材を用いることにより、上シェルを透してのディスク状記録媒体に対する良好な視認性を維持して、美観を損ねることなく剛性を高めることができる。
【００１２】
さらに、本発明に係るディスクカートリッジによれば、繊維強化樹脂および金属のいずれかで補強部材を形成したことにより、例えば、上シェル自体をガラス繊維入り樹脂等で成形してその剛性を高める構成とは異なり、上シェルを透してのディスク状記録媒体に対する視認性を低下させることなく剛性を高めることができると共に、各種のデザインを採用してカートリッジ本体の美観を向上させることができる。また、上シェルを厚くして上シェル単体の剛性を高めることによってカートリッジ本体全体としての剛性を高める構成とは異なり、カートリッジ本体全体としての厚みをそれほど厚くすることなく（ディスクカートリッジに対して規定されたサイズ上の規格を満たしつつ）、カートリッジ本体自体およびディスク状記録媒体の破損や記録再生不良の発生を十分に回避し得る程度の高い剛性を有するカートリッジ本体を備えたディスクカートリッジを提供することができる。
【発明を実施するための最良の形態】
【００１３】
以下、添付図面を参照して、本発明に係るディスクカートリッジの最良の形態について説明する。
【００１４】
最初に、ディスクカートリッジ１の構成について、図面を参照して説明する。
【００１５】
図１，２に示すディスクカートリッジ１は、各種記録データの記録および再生が可能に構成されたカートリッジ式の情報記録媒体であって、カートリッジ本体２、ディスクトレイ５およびシャッタ部材６などを備えて光ディスク１０を収納可能に構成されている。なお、図２では、本発明についての理解を容易とするために、その厚み方向のサイズを誇張して大きく図示している。この場合、光ディスク１０は、一例として、片面仕様の書き換え型のディスク状記録媒体であって、図２に示すように、その中心部には、記録再生装置にクランプさせるための直径１５ｍｍ程度の中心孔１０ａが形成されている。この光ディスク１０は、後述するようにカートリッジ本体２の上シェル４に取り付けられた円板状のクランピングプレート１０ｂが記録再生装置によって下シェル３側に引き寄せられることによって記録再生装置にクランプされる。一方、図１，２に示すように、カートリッジ本体２は、互いに嵌合可能に形成された下シェル３および上シェル４を備えている。
【００１６】
下シェル３は、図３に示すように、下シェル本体１１ａ，１１ｂを備えて、一例として、ポリカーボネート（または、ＡＢＳ樹脂等）を用いて射出成形で製造されている。具体的には、下シェル３（下シェル本体１１ａ，１１ｂ）は、底板１２ａと、底板１２ａの外縁部に立設されてカートリッジ本体２の側面部分を構成する側壁１２ｂと、カートリッジ本体２内にディスク収容部を形成する隔壁１２ｃとを備えている。この下シェル３は、上シェル４に嵌合させた状態（上シェル４と一体化させた状態）において本発明におけるディスクアクセス用開口部に相当する開口部３ａが両下シェル本体１１ａ，１１ｂにおける底板１２ａ，１２ａの間に形成されるように構成されている。この場合、開口部３ａは、光ディスク１０に対する記録データの記録再生時にカートリッジ本体２内の光ディスク１０に対するディスクアクセス（記録再生装置によるクランプや、光学ヘッドを介してのレーザービームの照射等）を可能とする孔であって、光ディスク１０の中心孔１０ａを挟んで互いに対向する一方の外縁部から他方の外縁部に亘る長方形状の領域Ａを露出可能な形状および大きさに形成されている。この構成により、このディスクカートリッジ１では、２つの光学ヘッドを同時に用いて光ディスク１０に対する記録データの記録および再生を行うことが可能となっている。また、両下シェル本体１１ａ，１１ｂの各底板１２ａには、シャッタ部材６のスリット５２（図８参照）に挿入されて、後述するようにディスクトレイ５の回転に伴ってシャッタ部材６をスライドさせるための凸部１３がそれぞれ立設されている。
【００１７】
上シェル４は、図４に示すように、天板２２ａと、天板２２ａの外縁部に立設されて下シェル３の側壁１２ｂと相俟ってカートリッジ本体２の側面部分を構成する側壁２２ｂと、下シェル３の隔壁１２ｃと相俟ってカートリッジ本体２内にディスク収容部を形成する隔壁２２ｃとを備えて、一例として、透過性を有するポリカーボネートを用いて射出成形で製造されている。また、図５に示すように、このディスクカートリッジ１では、上シェル４の天板２２ａにおける隔壁２２ｃの内側（本発明における上シェルの内面）に例えば接着剤によって補強部材７が固定されている。補強部材７は、図６に示すように、上シェル４の隔壁２２ｃによって形成される円形領域（ディスク収容部）の直径とほぼ同径の（ほぼ等しい直径の）円筒状部３１と、円筒状部３１の下端部において折り曲げ形成された鍔部３２とを厚み０．５ｍｍ程度のステンレス鋼（本発明における金属の一例）を用いて一体的に構成されている。この場合、補強部材７における鍔部３２は、カートリッジ本体２内における補強部材７と光ディスク１０との接触を回避するために、その内径が光ディスク１０の直径よりも僅かに（光ディスク１０が鍔部３２に接触しない程度に）大径に規定されている。これにより、上シェル４に補強部材７を固定した状態における上シェル４を透しての光ディスク１０に対する視認性の低下も回避されている。また、図２に示すように、上シェル４の中央部には、リング状の取り付け部材１０ｃによってクランピングプレート１０ｂが取り付けられている。この場合、クランピングプレート１０ｂは、上シェル４に対して回転可能で、天板２２ａに対する接離方向で僅かに移動可能に取り付けられている。
【００１８】
ディスクトレイ５は、図７に示すように、下シェル３の両下シェル本体１１ａ，１１ｂ間に形成される開口部３ａとほぼ同形状の開口部５ａが形成された円板状の底板４１と、底板４１の外縁部に立設された側壁４２とで光ディスク１０を載置可能な浅皿状に形成されて、図２に示すように、光ディスク１０と共にカートリッジ本体２内に回動可能に収容されている。この場合、図７に示すように、底板４１の下面には、シャッタ部材６を軸支するための凸部４３，４３が立設されている。また、側壁４２には、記録再生装置におけるシャッタ開閉手段（図示せず）が噛合可能な噛合用歯部４４が形成されている。なお、同図では、噛合用歯部４４における各歯の図示を省略している。この場合、このディスクトレイ５は、常態においては、ロック部材８（図１参照）によってカートリッジ本体２に対する回動が規制されている。シャッタ部材６は、図８に示すように、その一端部にディスクトレイ５の凸部４３が挿通可能な孔５１が形成されると共に、その他端部側に下シェル３の凸部１３が挿通可能なスリット５２が形成されて、図２に示すように、下シェル３とディスクトレイ５との間に挟み込まれるようにしてカートリッジ本体２内に収容されている。
【００１９】
次に、ディスクカートリッジ１の使用方法について、図面を参照して説明する。
【００２０】
このディスクカートリッジ１では、図１に示すように、記録再生装置から取り外されている状態のときには、下シェル３の開口部３ａが、ディスクトレイ５とシャッタ部材６とによって閉塞されている。一方、ディスクカートリッジ１を記録再生装置に装填した際には、ディスクカートリッジ１が記録再生装置によって矢印Ｉの向きで装置内部に引き込まれる。なお、同図では下シェル３を上向きした状態を図示しているが、実際の使用に際しては、上シェル４を上向きにした状態で記録再生装置に装填する。この際には、記録再生装置のシャッタ開閉手段によってディスクトレイ５が回動させられ、これにより、シャッタ部材６がディスクトレイ５に対して回転させられて開口部３ａが開口される。具体的には、この際には、まず、シャッタ開閉手段がロック部材８に当接することにより、ロック部材８がカートリッジ本体２に対して回動させられてディスクトレイ５の回動が許容される。
【００２１】
次に、ディスクカートリッジ１が記録再生装置内にさらに引き込まれた際には、シャッタ開閉手段がディスクトレイ５の噛合用歯部４４に噛合して、この状態でディスクカートリッジ１がさらに引き込まれることによってディスクトレイ５が図１に示す矢印Ｂ１の向きでカートリッジ本体２に対して回動させられる。この際には、ディスクトレイ５の回動に伴ってシャッタ部材６が孔５１（ディスクトレイ５の凸部４３）を中心として回動（スライド）させられる。次いで、ディスクカートリッジ１が記録再生装置内にさらに引き込まれた際には、下シェル３の開口部３ａとディスクトレイ５の開口部５ａとがディスクカートリッジ１の厚み方向において重ね合わされると共に、シャッタ部材６，６が回動させられて開口部５ａ上から移動させられる。これにより、光ディスク１０の領域Ａが露出して、カートリッジ本体２の外部からの光ディスク１０に対するディスクアクセスが可能な状態となる。この後、記録再生装置によってクランピングプレート１０ｂが磁気的に吸引されて中心孔１０ａの口縁部がクランプされ、開口部３ａを介してのレーザービームの照射（記録データの記録または再生）が実行される。
【００２２】
一方、記録データの記録再生を完了したディスクカートリッジ１を記録再生装置から取り出す際には、記録再生装置のシャッタ開閉手段によってディスクトレイ５が図１に示す矢印Ｂ２の向きで回動させられると共に、その回動に伴ってシャッタ部材６が回動させられて、ディスクトレイ５およびシャッタ部材６，６によって開口部３ａが閉塞される。これにより、カートリッジ本体２、ディスクトレイ５およびシャッタ部材６，６によってカートリッジ本体２内の光ディスク１０が保護される。
【００２３】
また、この状態（開口部３ａが閉塞された状態）のディスクカートリッジ１を例えば鞄に入れて携帯する際には、上シェル４に固定された補強部材７によってカートリッジ本体２の変形が阻止される。具体的には、このディスクカートリッジ１では、前述したように、ステンレス鋼で上シェル４とは別体に形成されたリング状の補強部材７が上シェル４の天板２２ａに固定されている。この場合、図５に示すように、補強部材７は、上シェル４に嵌合させた状態の下シェル３における開口部３ａを横切るようにして上シェル４の天板２２ａに固定されている。したがって、別個独立した下シェル本体１１ａ，１１ｂで構成されている下シェル３を採用しているにも拘わらず、天板２２ａに固定した補強部材７によって上シェル４単体の剛性が十分に高められているため、カートリッジ本体２全体としての剛性が従来のディスク記録媒体装置１０におけるカートリッジ筐体１２よりも十分に高められている。このため、このディスクカートリッジ１を鞄などに入れて携帯した際において、カートリッジ本体２に対して折り曲げようとする外力が加わったときであっても、カートリッジ本体２の変形（折れ曲がり）が回避されると共に、記録再生装置内での記録再生不良の発生が回避される。また、ステンレス鋼で形成した補強部材７が十分に薄厚のため、カートリッジ本体２全体としての厚みをそれほど厚くすることなく、その剛性が十分に高められている。さらに、補強部材７における鍔部３２の内径を光ディスク１０の直径よりも大径となるように規定したことにより、カートリッジ本体２内における補強部材７と光ディスク１０との接触が回避されると共に、補強部材７の存在に起因しての上シェル４を透しての光ディスク１０に対する視認性の低下が回避されている。
【００２４】
このように、このディスクカートリッジ１によれば、上シェル４に嵌合させた状態の下シェル３における開口部３ａを横切るようにして上シェル４とは別体に形成した補強部材７を上シェル４の内面に固定したことにより、２つの光学ヘッドを同時に用いて光ディスク１０に対する記録再生を実行可能としつつ、外力が加わった際における（折り曲げなどに対して）カートリッジ本体２自体および光ディスク１０の破損や記録再生不良の発生を十分に回避し得る程度の高い剛性を有するカートリッジ本体２を備えたディスクカートリッジ１を提供することができる。この場合、上シェル４とは別体に形成した補強部材７を天板２２ａに固定する構成を採用したことにより、例えば、透過性を有する樹脂材料（この例では、ポリカーボネート）で上シェル４を形成すると共に、折り曲げなどに強い高い剛性の部材（この例では、ステンレス鋼）で補強部材７を形成して上シェル４に固定することができるため、上シェル４を透しての光ディスク１０に対する十分な視認性を確保して各種のデザインを採用可能としつつ、カートリッジ本体２の剛性を十分に高めることができる。
【００２５】
また、このディスクカートリッジ１によれば、その内径が光ディスク１０の直径よりも大径のリング状に形成した補強部材７を用いることにより、上シェル４を透しての光ディスク１０に対する良好な視認性を維持して美観を損ねることなく剛性を高めることができる。
【００２６】
さらに、このディスクカートリッジ１によれば、金属（この場合、ステンレス鋼）で補強部材７を形成したことにより、例えば、上シェル自体をガラス繊維入り樹脂等で成形してその剛性を高める構成とは異なり、上シェル４を透しての光ディスク１０に対する視認性を低下させることなく剛性を高めることができると共に、各種のデザインを採用してカートリッジ本体の美観を向上させることができる。また、上シェルを厚くして上シェル単体の剛性を高めることによってカートリッジ本体全体としての剛性を高める構成とは異なり、カートリッジ本体全体としての厚みをそれほど厚くすることなく（ディスクカートリッジ１に対して規定されたサイズ上の規格を満たしつつ）、カートリッジ本体２自体および光ディスク１０の破損や記録再生不良の発生を十分に回避し得る程度の高い剛性を有するカートリッジ本体２を備えたディスクカートリッジ１を提供することができる。
【００２７】
なお、本発明は、上記した構成に限定されない。例えば、本発明におけるディスク状記録媒体としては、上記した書き換え型の光ディスク１０に限定されず、再生専用タイプの光ディスクや、追記型の光ディスクなどの各種の光ディスクが含まれるばかりでなく、光磁気ディスクや磁気ディスクが含まれる。さらに、上記の構成では、ステンレス鋼によって補強部材７を形成しているが、本発明における補強部材の材質はこれに限定されず、ガラス繊維入り樹脂およびカーボン繊維入り樹脂等の繊維強化樹脂や、ステンレス鋼以外の各種金属材料などを用いることができる。この場合、繊維強化樹脂を用いる構成では、ステンレス鋼等の金属材料と比較して軽量のため、カートリッジ本体の剛性を高めつつ、ディスクカートリッジ１全体としての自重を十分に軽くすることができる。
【００２８】
また、前述したディスクカートリッジ１では、その内径が光ディスク１０の直径よりも大径のリング状に形成した補強部材７を上シェル４の内面（天板２２ａ）に固定する構成を採用しているが、本発明はこれに限定されない。例えば、図９に示すディスクカートリッジ１Ａのように、上シェル４に嵌合させた状態の下シェル３（図示せず）における開口部３ａを横切るようにして、その外形がカートリッジ本体２の左右方向（記録再生装置内に抜き差しする方向と直交する方向）に長い三日月状の補強部材７Ａ，７Ａを上シェル４における隔壁２２ｃの内側（天板２２ａの内面）に貼付する構成を採用することもできる。この構成によれば、上シェル４の中央部分（補強部材７Ａ，７Ａの間）から上シェル４を透しての光ディスク１０に対する十分な視認性を確保しつつ、前述したディスクカートリッジ１と同様にして補強部材７Ａ，７Ａによってカートリッジ本体２Ａの剛性を高めて光ディスク１０の破損を回避することができる。なお、補強部材７Ａ，７Ａの輪郭形状は三日月状に限定されるものではなく、その貼付位置も適宜規定することができる。例えば、同図に破線で示すように、下シェル３（図示せず）における開口部３ａを横切るようにして、その外形がカートリッジ本体２の左右方向に長い長方形形状の補強部材７Ｂを上シェル４における隔壁２２ｃの内側（天板２２ａの内面における中央部位）に貼付する構成を採用することもできる。
【００２９】
さらに、前述したディスクカートリッジ１では、別個独立した下シェル本体１１ａ，１１ｂを有する下ケース３を備えてカートリッジ本体２を構成したが、本発明はこれに限定されず、例えば、図１０に示すディスクカートリッジ１Ｂのように、連結部１１ｃ，１１ｄによって下シェル本体１１ａ，１１ｂを一体的に連結した下シェル３Ｂを採用してカートリッジ本体２Ｂを構成することもできる。加えて、本発明におけるディスクアクセス用開口部の開口形状は、上記の例のようにカートリッジ本体の前後方向に長い長方形形状の開口形状に限定されるものではなく、カートリッジ本体の左右方向に長い長方形形状の開口形状や、方形状のカートリッジ本体における対角線方向に長い長方形形状の開口形状であってもよい。
【図面の簡単な説明】
【００３０】
【図１】ディスクカートリッジ１の外観斜視図である。
【図２】ディスクカートリッジ１の断面図である。
【図３】カートリッジ本体２における下シェル３を内面側から見た平面図である。
【図４】カートリッジ本体２における上シェル４を内面側から見た平面図である。
【図５】補強部材７を固定した状態の上シェル４を内面側から見た平面図（カートリッジ本体２の平面図）である。
【図６】補強部材７の外観斜視図である。
【図７】ディスクトレイ５を下シェル３側から見た平面図である。
【図８】シャッタ部材６を下シェル３側から見た平面図である。
【図９】補強部材７Ａ，７Ａ（または補強部材７Ｂ）を固定した状態の上シェル４を内面側から見た平面図（カートリッジ本体２Ａの平面図）である。
【図１０】ディスクカートリッジ１Ｂの外観斜視図である。
【符号の説明】
【００３１】
１，１Ａ，１Ｂ  ディスクカートリッジ
２，２Ａ，２Ｂ  カートリッジ本体
３，３Ｂ  下シェル
３ａ  開口部
４  上シェル
５  ディスクトレイ
６  シャッタ部材
７，７Ａ，７Ｂ  補強部材
１０  光ディスク
１０ａ  中心孔
１１ａ，１１ｂ  下シェル本体
１１ｃ，１１ｄ  連結部
１２ａ  底板
１２ｂ，２２ｂ  側壁
１２ｃ，２２ｃ  隔壁
１３，４３  凸部
２２ａ  天板
３１  円筒状部
３２  鍔部
Ａ  領域
【図１】
2005085362.tif 000003
【図２】
2005085362.tif 000004
【図３】
2005085362.tif 000005
【図４】
2005085362.tif 000006
【図５】
2005085362.tif 000007
【図６】
2005085362.tif 000008
【図７】
2005085362.tif 000009
【図８】
2005085362.tif 000010
【図９】
2005085362.tif 000011
【図１０】
2005085362.tif 000012